(57)【特許請求の範囲】
【請求項１】
情報装置と前記情報装置のアクセサリとを連結して前記情報装置と前記アクセサリを電気的に接続する連結装置であって、
第一の抵抗素子と、
前記情報装置と前記アクセサリを連結している連結状態において、前記情報装置の抵抗検出用端子に対する前記第一の抵抗素子及び前記アクセサリに含まれる第二の抵抗素子の電気的な接続状態を、前記抵抗検出用端子と前記第一の抵抗素子を非接続とし前記抵抗検出用端子と前記第二の抵抗素子を接続する第一の接続状態と、前記抵抗検出用端子と前記第一の抵抗素子及び前記第二の抵抗素子を接続する第二の接続状態とで切り替えるための前記情報装置によって制御される切替素子と、を備える連結装置。
【請求項２】
請求項１記載の連結装置であって、
前記連結状態において、前記アクセサリの動作に必要な電圧を供給するための前記情報装置に設けられた電圧供給端子と前記アクセサリの端子とを導通する配線を更に有し、
前記切替素子は、前記配線に供給される電圧に基づいて前記接続状態を切り替える連結装置。
【請求項３】
請求項２記載の連結装置であって、
前記切替素子は、前記配線に前記電圧が非供給の状態では前記接続状態を前記第一の接続状態とし、前記配線に前記電圧が供給された状態では前記接続状態を前記第二の接続状態とする連結装置。
【請求項４】
請求項１〜３のいずれか１項記載の連結装置であって、
前記第一の接続状態において前記第二の抵抗素子の抵抗値が前記情報装置により測定された後に、前記第二の接続状態において前記第一の抵抗素子と前記第二の抵抗素子の合成抵抗値が前記情報装置により測定され、前記合成抵抗値と前記抵抗値に基づいて前記第一の抵抗素子の抵抗値が測定される連結装置。
【請求項５】
請求項１〜４のいずれか１項記載の連結装置であって、
前記切替素子は単極単投型のスイッチであり、
前記第二の接続状態では、前記第一の抵抗素子と、前記第二の抵抗素子とが、前記抵抗検出用端子に対し並列に接続され、
前記第一の接続状態では、前記抵抗検出用端子に対し前記第二の抵抗素子が直列に接続される連結装置。
【請求項６】
アクセサリを着脱可能な連結装置が装着可能であり、前記連結装置に装着された前記アクセサリと前記連結装置を介して電気的に接続される情報装置であって、
前記連結装置は、第一の抵抗素子と、前記情報装置と前記アクセサリを連結している連結状態において、前記情報装置の抵抗検出用端子に対する前記第一の抵抗素子及び前記アクセサリに含まれる第二の抵抗素子の電気的な接続状態を、前記抵抗検出用端子と前記第一の抵抗素子を非接続とし前記抵抗検出用端子と前記第二の抵抗素子を接続する第一の接続状態と、前記抵抗検出用端子と前記第一の抵抗素子及び前記第二の抵抗素子を接続する第二の接続状態とで切り替えるための切替素子と、を含み、
前記抵抗検出用端子と、
前記連結装置の前記切替素子を制御する制御信号を出力するための端子と、
前記抵抗検出用端子と電気的に接続される抵抗素子の抵抗値を測定する抵抗測定部と、を備え、
前記抵抗測定部は、前記接続状態を前記第一の接続状態に制御するための前記制御信号を前記端子に供給している状態で前記抵抗検出用端子と電気的に接続されている抵抗素子の第一の抵抗値を測定した後に、前記接続状態を前記第二の接続状態に制御するための前記制御信号を前記端子に供給して前記抵抗検出用端子と電気的に接続されている抵抗素子の第二の抵抗値を測定し、前記第一の抵抗値と前記第二の抵抗値に基づいて前記第一の抵抗素子の抵抗値を測定する情報装置。
【請求項７】
請求項６記載の情報装置であって、
前記端子は、前記アクセサリの動作に必要な電圧を供給するための電圧供給端子であり、
前記連結装置は、前記電圧供給端子と前記アクセサリの端子とを導通する配線を含み、
前記切替素子は、前記配線に前記電圧が非供給の状態では前記接続状態を前記第一の接続状態とし、前記配線に前記電圧が供給された状態では前記接続状態を前記第二の接続状態とし、
前記抵抗測定部は、前記電圧供給端子に前記電圧を非供給とした状態で前記第一の抵抗値を測定し、当該第一の抵抗値を測定した後に前記電圧供給端子に前記電圧を供給する情報装置。
【請求項８】
アクセサリを着脱可能な連結装置と、前記連結装置が装着可能であり、前記連結装置に装着された前記アクセサリと前記連結装置を介して電気的に接続される情報装置と、を備える情報システムであって、
前記連結装置は、
第一の抵抗素子と、
前記情報装置と前記アクセサリを連結している連結状態において、前記情報装置の抵抗検出用端子に対する前記第一の抵抗素子及び前記アクセサリに含まれる第二の抵抗素子の電気的な接続状態を、前記抵抗検出用端子と前記第一の抵抗素子を非接続とし前記抵抗検出用端子と前記第二の抵抗素子を接続する第一の接続状態と、前記抵抗検出用端子と前記第一の抵抗素子及び前記第二の抵抗素子を接続する第二の接続状態とで切り替えるための切替素子と、を含み、
前記情報装置は、
前記抵抗検出用端子と、
前記切替素子を制御する制御信号を出力するための端子と、
前記抵抗検出用端子と電気的に接続される抵抗素子の抵抗値を測定する抵抗測定部と、を備え、
前記抵抗測定部は、前記接続状態を前記第一の接続状態に制御するための前記制御信号を前記端子に供給している状態で前記抵抗検出用端子と電気的に接続されている抵抗素子の第一の抵抗値を測定した後に、前記接続状態を前記第二の接続状態に制御するための前記制御信号を前記端子に供給して前記抵抗検出用端子と電気的に接続されている抵抗素子の第二の抵抗値を測定し、前記第一の抵抗値と前記第二の抵抗値に基づいて前記第一の抵抗素子の抵抗値を測定する情報システム。
【請求項９】
請求項８記載の情報システムであって、
前記連結装置は、前記連結状態において、前記アクセサリの動作に必要な電圧を供給するための前記情報装置に設けられた前記端子と前記アクセサリの端子とを導通する配線を更に有し、
前記切替素子は、前記配線に供給される電圧に基づいて前記接続状態を切り替える情報システム。
【請求項１０】
請求項９記載の情報システムであって、
前記切替素子は、前記配線に前記電圧が非供給の状態では前記接続状態を前記第一の接続状態とし、前記配線に前記電圧が供給された状態では前記接続状態を前記第二の接続状態とする情報システム。
【請求項１１】
請求項１０記載の情報システムであって、
前記抵抗測定部は、前記情報装置の前記端子に前記電圧を非供給とした状態で前記第一の抵抗値を測定し、当該第一の抵抗値を測定した後に当該端子に前記電圧を供給する情報システム。
【請求項１２】
アクセサリを着脱可能な連結装置が装着可能であり、前記連結装置に装着された前記アクセサリと前記連結装置を介して電気的に接続される情報装置の作動方法であって、
前記連結装置は、第一の抵抗素子と、前記情報装置と前記アクセサリを連結している連結状態において、前記情報装置の抵抗検出用端子に対する前記第一の抵抗素子及び前記アクセサリに含まれる第二の抵抗素子の電気的な接続状態を、前記抵抗検出用端子と前記第一の抵抗素子を非接続とし前記抵抗検出用端子と前記第二の抵抗素子を接続する第一の接続状態と、前記抵抗検出用端子と前記第一の抵抗素子及び前記第二の抵抗素子を接続する第二の接続状態とで切り替えるための切替素子と、を含み、
前記情報装置は、前記抵抗検出用端子と、前記連結装置の前記切替素子を制御する制御信号を出力するための端子と、を備え、
前記接続状態を前記第一の接続状態に制御するための前記制御信号を前記端子に供給している状態で前記抵抗検出用端子と電気的に接続されている抵抗素子の第一の抵抗値を測定した後に、前記接続状態を前記第二の接続状態に制御するための前記制御信号を前記端子に供給して前記抵抗検出用端子と電気的に接続されている抵抗素子の第二の抵抗値を測定し、前記第一の抵抗値と前記第二の抵抗値に基づいて前記第一の抵抗素子の抵抗値を測定する抵抗測定ステップを備える情報装置の作動方法。
【請求項１３】
請求項１２記載の情報装置の作動方法であって、
前記端子は、前記アクセサリの動作に必要な電圧を供給するための電圧供給端子であり、
前記連結装置は、前記電圧供給端子と前記アクセサリの端子とを導通する配線を含み、
前記切替素子は、前記配線に前記電圧が非供給の状態では前記接続状態を前記第一の接続状態とし、前記配線に前記電圧が供給された状態では前記接続状態を前記第二の接続状態とし、
前記抵抗測定ステップでは、前記電圧供給端子に前記電圧を非供給とした状態で前記第一の抵抗値を測定し、当該第一の抵抗値を測定した後に前記電圧供給端子に前記電圧を供給する情報装置の作動方法。
【請求項１４】
アクセサリを着脱可能な連結装置が装着可能であり、前記連結装置に装着された前記アクセサリと前記連結装置を介して電気的に接続される情報装置の作動プログラムであって、
前記連結装置は、第一の抵抗素子と、前記情報装置と前記アクセサリを連結している連結状態において、前記情報装置の抵抗検出用端子に対する前記第一の抵抗素子及び前記アクセサリに含まれる第二の抵抗素子の電気的な接続状態を、前記抵抗検出用端子と前記第一の抵抗素子を非接続とし前記抵抗検出用端子と前記第二の抵抗素子を接続する第一の接続状態と、前記抵抗検出用端子と前記第一の抵抗素子及び前記第二の抵抗素子を接続する第二の接続状態とで切り替えるための切替素子と、を含み、
前記情報装置は、前記抵抗検出用端子と、前記連結装置の前記切替素子を制御する制御信号を出力するための端子と、を備え、
前記接続状態を前記第一の接続状態に制御するための前記制御信号を前記端子に供給している状態で前記抵抗検出用端子と電気的に接続されている抵抗素子の第一の抵抗値を測定した後に、前記接続状態を前記第二の接続状態に制御するための前記制御信号を前記端子に供給して前記抵抗検出用端子と電気的に接続されている抵抗素子の第二の抵抗値を測定し、前記第一の抵抗値と前記第二の抵抗値に基づいて前記第一の抵抗素子の抵抗値を測定する抵抗測定ステップをコンピュータに実行させるための情報装置の作動プログラム。
【発明の詳細な説明】
【技術分野】
【０００１】
本発明は、情報装置、連結装置、情報システム、情報装置の作動方法、及び、情報装置の作動プログラムに関する。
【背景技術】
【０００２】
デジタルカメラ等の撮像装置には、交換レンズ、ｅｌｅｃｔｒｉｃ  ｖｉｅｗｆｉｎｄｅｒ（ＥＶＦ）、フラッシュ等の発光装置、ＧＰＳ（Ｇｌｏｂａｌ  Ｐｏｓｉｔｉｏｎｉｎｇ  Ｓｙｓｔｅｍ）受信機、露出計、又は、ワイヤレスレリーズ等のデジタルカメラの機能を拡張するためのアクセサリを着脱可能なものがある。こういったアクセサリを装着可能な撮像装置では、アクセサリの制御のために、装着されたアクセサリの種別を判定することが行われる。【０００３】
特許文献１には、デジタルカメラと、デジタルカメラに装着可能な交換レンズと、デジタルカメラと交換レンズの間に介装されてデジタルカメラと交換レンズを連結する連結装置としての中間アクセサリと、を有するシステムが記載されている。このシステムでは、デジタルカメラから中間アクセサリ及び交換レンズに電源が供給されると、中間アクセサリのマイコンが中間アクセサリの種別に関する情報を交換レンズに送信し、交換レンズはこの情報に基づいて、デジタルカメラに送信すべき情報を補正している。【０００４】
特許文献２には、デジタルカメラと、デジタルカメラに装着可能な交換レンズと、デジタルカメラと交換レンズの間に介装されてデジタルカメラと交換レンズを連結する連結装置としてのマウントアダプタと、を有するシステムが記載されている。このシステムでは、交換レンズのマイコンが、マウントアダプタの内部の抵抗素子の抵抗値を測定することにより、マウントアダプタの種別を判定している。【０００５】
特許文献３には、デジタルカメラと、デジタルカメラに装着可能なコンバージョンレンズと、を有するシステムが記載されている。このシステムでは、デジタルカメラのマイコンが、コンバージョンレンズの内部の抵抗素子の抵抗値を測定することにより、コンバージョンレンズの種別を判定している。
【先行技術文献】
【特許文献】
【０００６】
【特許文献１】特開２０１０−２６１９８４号公報
【特許文献２】特開平７−２３４４３２号公報
【特許文献３】特開２００１−２５５５７８号公報
【発明の概要】
【発明が解決しようとする課題】
【０００７】
特許文献１に記載されているように、連結装置にマイコンが内蔵されていれば、このマイコンによって連結装置の種別の情報を交換レンズ又はデジタルカメラに通知することが可能である。しかし、連結装置にマイコンが内蔵されると、連結装置のコストが高くなったり、連結装置のサイズが大きくなったりする。また、マイコンを内蔵しない連結装置がデジタルカメラに装着される場合には、連結装置の種別を判定することができない。【０００８】
特許文献２に記載されているように、アクセサリのマイコンによって連結装置の種別の情報を取得する構成によれば、マイコンを内蔵しない連結装置の種別を判定することができる。しかし、マイコンを内蔵しないアクセサリが連結装置に装着された場合には、アクセサリと連結装置の種別を判定することはできない。【０００９】
特許文献３に記載されているようにデジタルカメラ側においてアクセサリ又は連結装置の抵抗値を測定する技術を採用すれば、マイコンを搭載しないアクセサリ又は連結装置に関してもその種別を判定可能になる。【００１０】
デジタルカメラ側に連結装置とアクセサリとで個別に種別判定用の端子が設けられていれば、デジタルカメラに連結装置が装着され、この連結装置にアクセサリが装着された状態であっても、連結装置の抵抗値とアクセサリの抵抗値を個別に測定することは可能である。しかし、この構成では、デジタルカメラの端子数が増加してしまう。【００１１】
したがって、デジタルカメラ側には連結装置とアクセサリとで共通の種別判定用の端子を設けることが好ましい。この構成では、デジタルカメラに連結装置が装着され、この連結装置にアクセサリが装着された状態では、デジタルカメラによって連結装置の抵抗値とアクセサリの抵抗値との合成抵抗値を測定し、この合成抵抗値に基づいて連結装置の種別及びアクセサリの種別の組み合わせを判定することになる。【００１２】
しかし、連結装置とアクセサリの組み合わせは無数にあるため、連結装置とアクセサリの組み合わせが異なるにも関わらず、測定される合成抵抗値が同じになる可能性がある。また、デジタルカメラにアクセサリのみが装着されている場合と、デジタルカメラに連結装置及びアクセサリが装着されている場合とで検出される抵抗値が同じになる可能性もある。したがって、連結装置の種別、アクセサリの種別、又は、連結装置の装着の有無等を正確に判定できない可能性がある。【００１３】
こういった誤判定を防ぐためには、合成抵抗値が同じになる組み合わせが存在しないように連結装置の抵抗値とアクセサリの抵抗値を設計する必要がある。しかし、デジタルカメラによる抵抗値の検出分解能には限界があるため、合成抵抗値が同じになる組み合わせが存在しないようにすることは難しい。また、抵抗値の検出分解能の範囲で、合成抵抗値が同じになる組み合わせが存在しないようにすることも可能であるが、この場合には連結装置とアクセサリの組み合わせパターンに制限がかかり、デジタルカメラの拡張性が低下する。【００１４】
ここまではデジタルカメラを例に説明したが、アクセサリを装着可能な他の情報装置（スマートフォン又はタブレット端末等）においても、アクセサリと情報装置を連結する連結装置が存在する場合には、同様の課題が生じる。【００１５】
本発明は、上記事情に鑑みてなされたものであり、情報装置の拡張性を低下させることなく、情報装置に装着されたアクセサリの種別とこのアクセサリと情報装置とを連結する連結装置の種別を正確に判定することが可能な情報装置、この情報装置に装着可能な連結装置、この情報装置とこの連結装置を含む情報システム、情報装置の作動方法、及び、情報装置の作動プログラムを提供することを目的とする。
【課題を解決するための手段】
【００１６】
本発明の連結装置は、情報装置と上記情報装置のアクセサリとを連結して上記情報装置と上記アクセサリを電気的に接続する連結装置であって、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための上記情報装置によって制御される切替素子と、を備えるものである。【００１７】
本発明の情報装置は、アクセサリを着脱可能な連結装置が装着可能であり、上記連結装置に装着された上記アクセサリと上記連結装置を介して電気的に接続される情報装置であって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記抵抗検出用端子と、上記連結装置の上記切替素子を制御する制御信号を出力するための端子と、上記抵抗検出用端子と電気的に接続される抵抗素子の抵抗値を測定する抵抗測定部と、を備え、上記抵抗測定部は、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定するものである。【００１８】
本発明の情報システムは、アクセサリを着脱可能な連結装置と、上記連結装置が装着可能であり、上記連結装置に装着された上記アクセサリと上記連結装置を介して電気的に接続される情報装置と、を備える情報システムであって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記切替素子を制御する制御信号を出力するための端子と、上記抵抗検出用端子と電気的に接続される抵抗素子の抵抗値を測定する抵抗測定部と、を備え、上記抵抗測定部は、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定するものである。【００１９】
本発明の情報装置の作動方法は、アクセサリを着脱可能な連結装置が装着可能であり、上記連結装置に装着された上記アクセサリと上記連結装置を介して電気的に接続される情報装置の作動方法であって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記連結装置の上記切替素子を制御する制御信号を出力するための端子と、を備え、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する抵抗測定ステップを備えるものである。【００２０】
本発明の情報装置の作動プログラムは、アクセサリを着脱可能な連結装置が装着可能であり、上記連結装置に装着された上記アクセサリと上記連結装置を介して電気的に接続される情報装置の作動プログラムであって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記連結装置の上記切替素子を制御する制御信号を出力するための端子と、を備え、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する抵抗測定ステップをコンピュータに実行させるためのものである。
【発明の効果】
【００２１】
本発明によれば、情報装置の拡張性を低下させることなく、情報装置に装着されたアクセサリの種別とこのアクセサリと情報装置とを連結する連結装置の種別を正確に判定することが可能な情報装置、この情報装置に装着可能な連結装置、この情報装置とこの連結装置を含む情報システム、情報装置の作動方法、及び、情報装置の作動プログラムを提供することができる。
【図面の簡単な説明】
【００２２】
【図１】本発明の情報システムの一実施形態であるカメラシステム１００の概略構成を示す模式図である。
【図２】図１に示すカメラシステム１００の動作を説明するためのフローチャートである。
【図３】図１に示すカメラシステム１００の変形例であるカメラシステム２００の概略構成を示す模式図である。
【図４】図１に示すカメラシステム１００の別の変形例であるカメラシステム３００の概略構成を示す模式図である。
【発明を実施するための形態】
【００２３】
図１は、本発明の情報システムの一実施形態であるカメラシステム１００の概略構成を示す模式図である。
【００２４】
カメラシステム１００は、情報装置を構成するデジタルカメラ１０と、デジタルカメラ１０の機能を拡張するためのアクセサリ３０とデジタルカメラ１０とを連結してデジタルカメラ１０とアクセサリ３０を電気的に接続する連結装置２０と、を備える。
【００２５】
アクセサリ３０は、デジタルカメラ１０又は連結装置２０に着脱可能に構成されており、例えば、交換レンズ、ＥＶＦ、フラッシュ等の発光装置、ＧＰＳ受信機、露出計、又は、ワイヤレスレリーズ等により構成される。
【００２６】
アクセサリ３０は、デジタルカメラ１０又は連結装置２０との電気的接続を取るための端子Ａ１、端子Ａ２、及び、端子Ａ３と、端子Ａ２と端子Ａ３の間に接続され、抵抗値が固定の抵抗器により構成された第二の抵抗素子３１と、を備える。
【００２７】
アクセサリ３０が連結装置２０に装着された状態では、端子Ａ１は連結装置２０の端子Ｊ４と電気的に接続され、端子Ａ２は連結装置２０の端子Ｊ５と電気的に接続され、端子Ａ３は連結装置２０の端子Ｊ６と電気的に接続される。
【００２８】
連結装置２０は、デジタルカメラ１０に着脱可能かつアクセサリ３０を着脱可能に構成されており、例えば、マウントアダプタ、ＥＶＦのチルト角を変更するためのアダプタ、又は、デジタルカメラ１０とアクセサリ３０の間の距離を調整するためのアダプタ等により構成される。
【００２９】
連結装置２０は、デジタルカメラ１０との電気的接続を取るための端子Ｊ１、端子Ｊ２、及び、端子Ｊ３と、アクセサリ３０との電気的接続を取るための端子Ｊ４、端子Ｊ５、及び、端子Ｊ６と、切替素子として機能する単極単投型スイッチ２１と、抵抗値が固定の抵抗器により構成された第一の抵抗素子２２と、端子Ｊ１と端子Ｊ４を接続する配線２３と、端子Ｊ２と端子Ｊ５を接続する配線２４と、端子Ｊ３と端子Ｊ６を接続する配線２５と、を備える。
【００３０】
連結装置２０がデジタルカメラ１０に装着された状態では、端子Ｊ１はデジタルカメラ１０の電圧供給端子Ｄ１と電気的に接続され、端子Ｊ２はデジタルカメラ１０の抵抗検出用端子Ｄ２と電気的に接続され、端子Ｊ３はデジタルカメラ１０のアース端子Ｄ３と電気的に接続される。
【００３１】
連結装置２０の配線２３は、連結装置２０がデジタルカメラ１０とアクセサリ３０を連結している連結状態において、デジタルカメラ１０の電圧供給端子Ｄ１とアクセサリ３０の端子Ａ１とを導通する配線として機能する。
【００３２】
単極単投型スイッチ２１は、例えばスイッチング素子であるトランジスタによって構成されている。単極単投型スイッチ２１の一端は配線２４に接続され、単極単投型スイッチ２１の他端は第一の抵抗素子２２の一端に接続されている。第一の抵抗素子２２の他端は配線２５に接続されている。
【００３３】
単極単投型スイッチ２１は、配線２３に供給される電圧によって動作する。単極単投型スイッチ２１は、配線２３に電圧が非供給の状態では、配線２４と第一の抵抗素子２２とを電気的に遮断（オフ）する。また、単極単投型スイッチ２１は、配線２３に電圧が供給されている状態では、配線２４と第一の抵抗素子２２とを電気的に接続（オン）する。
【００３４】
単極単投型スイッチ２１は、連結装置２０がデジタルカメラ１０とアクセサリ３０を連結している連結状態において、配線２３に電圧が非供給の状態では、デジタルカメラ１０の抵抗検出用端子Ｄ２に対して第一の抵抗素子２２を非接続とし、かつ、第二の抵抗素子３１を直列に接続した第一の接続状態を形成する。
【００３５】
また、単極単投型スイッチ２１は、上記の連結状態において、配線２３に電圧が供給されている状態では、抵抗検出用端子Ｄ２に対し第一の抵抗素子２２及び第二の抵抗素子３１を並列に接続した第二の接続状態を形成する。
【００３６】
なお、デジタルカメラ１０に装着可能な全ての連結装置２０に内蔵される第一の抵抗素子２２の抵抗値と、デジタルカメラ１０又は連結装置２０に装着可能な全てのアクセサリ３０に内蔵される第二の抵抗素子３１の抵抗値は、全て異なる値となっている。
【００３７】
デジタルカメラ１０は、電源回路１１と、トランジスタ等のスイッチング素子によって構成されたスイッチ１２と、抵抗測定部１３と、連結装置２０又はアクセサリ３０との電気的接続を取るための電圧供給端子Ｄ１、抵抗検出用端子Ｄ２、及び、アース端子Ｄ３と、を備える。
【００３８】
アース端子Ｄ３は、デジタルカメラ１０に連結装置２０が装着された状態では、連結装置２０の端子Ｊ３と電気的に接続される。また、アース端子Ｄ３は、デジタルカメラ１０に連結装置２０を介さずにアクセサリ３０が装着された状態では、アクセサリ３０の端子Ａ３と電気的に接続される。
【００３９】
電源回路１１は、デジタルカメラ１０及びアクセサリ３０の動作に必要な電源電圧を生成する。
【００４０】
スイッチ１２は、電源回路１１と電圧供給端子Ｄ１との間に接続されており、抵抗測定部１３によってオンオフが制御される。
【００４１】
電圧供給端子Ｄ１は、デジタルカメラ１０と電気的に接続可能なアクセサリ３０に、このアクセサリ３０の動作に必要な電圧を供給するための端子である。
【００４２】
電圧供給端子Ｄ１は、デジタルカメラ１０に連結装置２０が装着された状態では、連結装置２０の単極単投型スイッチ２１を制御する制御信号を出力するための端子としても機能する。この制御信号は、カメラシステム１００においては、電源回路１１において生成される電圧である。
【００４３】
電圧供給端子Ｄ１は、デジタルカメラ１０に連結装置２０が装着された状態では、連結装置２０の端子Ｊ１と電気的に接続される。また、電圧供給端子Ｄ１は、デジタルカメラ１０に連結装置２０を介さずにアクセサリ３０が装着された状態では、アクセサリ３０の端子Ａ１と電気的に接続される。
【００４４】
抵抗測定部１３は、抵抗検出用端子Ｄ２と電気的に接続される抵抗素子の抵抗値を測定するものであり、具体的には、制御回路１３Ａと、抵抗値が固定の抵抗器によって構成された識別用抵抗素子１３Ｃと、制御回路１３Ａと抵抗検出用端子Ｄ２との間に接続されたアナログデジタル変換器１３Ｂと、を備える。
【００４５】
識別用抵抗素子１３Ｃの一端は電圧ＶＤＤが供給される電源に接続されている。識別用抵抗素子１３Ｃの他端は、抵抗検出用端子Ｄ２とアナログデジタル変換器１３Ｂの接続点に接続されている。
【００４６】
抵抗検出用端子Ｄ２は、デジタルカメラ１０に連結装置２０が装着された状態では、連結装置２０の端子Ｊ２と電気的に接続される。また、抵抗検出用端子Ｄ２は、デジタルカメラ１０に連結装置２０を介さずにアクセサリ３０が装着された状態では、アクセサリ３０の端子Ａ２と電気的に接続される。
【００４７】
アナログデジタル変換器１３Ｂは、識別用抵抗素子１３Ｃと、抵抗検出用端子Ｄ２に接続された抵抗素子（例えば、連結装置２０の第一の抵抗素子２２とアクセサリ３０の第二の抵抗素子３１の一方又は両方）とで抵抗分割された電圧をデジタル信号に変換して制御回路１３Ａに出力する。
【００４８】
制御回路１３Ａは、プロセッサを主体に構成されており、プロセッサの実行するプログラム等が記憶されるＲＯＭ（Ｒｅａｄ  Ｏｎｌｙ  Ｍｅｍｏｒｙ）及びワークメモリとしてのＲＡＭ（Ｒａｎｄｏｍ  Ａｃｃｅｓｓ  Ｍｅｍｏｒｙ）等を含む。ＲＯＭに記憶されるプログラムにはデジタルカメラ１０の作動プログラムが含まれる。
【００４９】
制御回路１３Ａは、プロセッサが上記の作動プログラムを実行することにより、抵抗検出用端子Ｄ２と電気的に接続された抵抗素子の抵抗値を測定する。制御回路１３ＡのＲＯＭには、識別用抵抗素子１３Ｃの抵抗値が予め記憶されている。制御回路１３Ａは、この抵抗値と、アナログデジタル変換器１３Ｂから出力された電圧値とに基づいて、抵抗検出用端子Ｄ２と電気的に接続された抵抗素子の抵抗値を測定する。
【００５０】
例えば、デジタルカメラ１０に連結装置２０が装着され、この連結装置２０にアクセサリ３０が装着された上記の連結状態において、単極単投型スイッチ２１がオフとなっている場合には、識別用抵抗素子１３Ｃと第二の抵抗素子３１とで分圧された電圧がアナログデジタル変換器１３Ｂで検出され、この電圧と識別用抵抗素子１３Ｃの抵抗値に基づいて、第二の抵抗素子３１の抵抗値（第一の抵抗値）が制御回路１３Ａによって測定される。
【００５１】
また、上記の連結状態において単極単投型スイッチ２１がオンとなっている場合には、識別用抵抗素子１３Ｃと、識別用抵抗素子１３Ｃに対して並列接続された第一の抵抗素子２２及び第二の抵抗素子３１とで分圧された電圧がアナログデジタル変換器１３Ｂで検出され、この電圧と識別用抵抗素子１３Ｃの抵抗値に基づいて、第一の抵抗素子２２及び第二の抵抗素子３１の合成抵抗値（第二の抵抗値）が制御回路１３Ａによって測定される。この合成抵抗値は、第一の抵抗素子２２の抵抗値をＲａとし、第二の抵抗素子３１の抵抗値をＲｂとすると次式（１）によって表される。
【００５２】
合成抵抗値＝１／｛（１／Ｒａ）＋（１／Ｒｂ）｝・・・（１）
【００５３】
制御回路１３Ａは、上記の連結状態においては、第二の抵抗素子３１の抵抗値を測定した後に、第一の抵抗素子２２及び第二の抵抗素子３１の合成抵抗値を測定し、これら２つの抵抗値に基づいて、式（１）から第一の抵抗素子２２の抵抗値を測定する。
【００５４】
制御回路１３ＡのＲＯＭには、デジタルカメラ１０又は連結装置２０に装着可能な複数のアクセサリ３０毎に、アクセサリ３０に内蔵される第二の抵抗素子３１の抵抗値とアクセサリ３０の識別情報とを対応付けて記憶するアクセサリ識別テーブルが記憶されている。また、制御回路１３ＡのＲＯＭには、デジタルカメラ１０に装着可能な複数の連結装置２０毎に、連結装置２０に内蔵される第一の抵抗素子２２の抵抗値と連結装置２０の識別情報とを対応付けて記憶する連結装置識別テーブルが記憶されている。
【００５５】
制御回路１３Ａは、プロセッサが上記の作動プログラムを実行することにより、ＲＯＭに予め記憶されている上記のアクセサリ識別テーブル及び連結装置識別テーブルから、上記のようにして測定した抵抗値に対応する識別情報を検索することにより、デジタルカメラ１０と電気的に接続されている連結装置２０及びアクセサリ３０を識別する。
【００５６】
また、制御回路１３Ａは、プロセッサが上記の作動プログラムを実行することによりスイッチ１２のオンオフを制御する。
【００５７】
以上のように構成されたカメラシステム１００の動作について説明する。以下では、デジタルカメラ１０に装着可能なアクセサリ３０として、ＥＶＦと、閃光装置である第一ＦＬＡＳＨと、閃光装置である第二ＦＬＡＳＨが存在し、デジタルカメラ１０に装着可能な連結装置２０として第一アダプタと第二アダプタが存在するものとする。
【００５８】
また、制御回路１３ＡのＲＯＭに記憶されるアクセサリ識別テーブルには、ＥＶＦの識別情報に対応する抵抗値として抵抗値Ｒａ１が記憶され、第一ＦＬＡＳＨの識別情報に対応する抵抗値として抵抗値Ｒａ２が記憶され、第二ＦＬＡＳＨの識別情報に対応する抵抗値として抵抗値Ｒａ３が記憶されているものとして説明する。また、制御回路１３ＡのＲＯＭに記憶される連結装置識別テーブルには、第一アダプタの識別情報に対応する抵抗値として抵抗値Ｒｂ１が記憶され、第二アダプタの識別情報に対応する抵抗値として抵抗値Ｒｂ２が記憶されているものとして説明する。
【００５９】
さらに、ＥＶＦと第一ＦＬＡＳＨについては、デジタルカメラ１０から供給される電圧によって動作するものとし、第二ＦＬＡＳＨについては、内蔵されるバッテリによって動作するものとする。
【００６０】
図２は、図１に示すカメラシステム１００の動作を説明するためのフローチャートである。
【００６１】
デジタルカメラ１０の電源が投入されると、制御回路１３Ａはデジタルカメラ１０のスイッチ１２をオフに制御する（ステップＳ１）。これにより、電圧供給端子Ｄ１からは電圧が出力されない状態となる。したがって、デジタルカメラ１０に連結装置２０が装着されていた場合には、連結装置２０の配線２３には電圧が非供給となり、この連結装置２０の単極単投型スイッチ２１はオフとなる。
【００６２】
次に、スイッチ１２がオフの状態でアナログデジタル変換器１３Ｂにより電圧が検出されると、制御回路１３Ａは、この電圧と識別用抵抗素子１３Ｃの抵抗値とに基づいて、抵抗検出用端子Ｄ２に接続されている抵抗素子の第一の抵抗値Ｒ１を測定する（ステップＳ２）。ステップＳ２は抵抗測定ステップを構成する。
【００６３】
制御回路１３Ａは、ステップＳ２で測定した第一の抵抗値Ｒ１が測定可能な抵抗値の最大値ＴＨとなっている場合（ステップＳ３：ＹＥＳ）には、デジタルカメラ１０にアクセサリ３０が電気的に接続されている状態ではないと判定し、ステップＳ１に処理を戻す。
【００６４】
デジタルカメラ１０に連結装置２０のみが装着されている状態では、抵抗検出用端子Ｄ２はオープンとなるため、制御回路１３Ａによって測定される第一の抵抗値Ｒ１は、測定可能な最大値ＴＨとなる。したがって、このような場合には、アクセサリ３０が装着されていない状態として判定される。
【００６５】
制御回路１３Ａは、ステップＳ２で測定した第一の抵抗値Ｒ１が測定可能な抵抗値の最大値ＴＨ未満となっており（ステップＳ３：ＮＯ）、第一の抵抗値Ｒ１が抵抗値Ｒａ１であった場合には、アクセサリ３０をＥＶＦとして識別し（ステップＳ４）、第一の抵抗値Ｒ１が抵抗値Ｒａ２であった場合には、アクセサリ３０を第一ＦＬＡＳＨとして識別し（ステップＳ１２）、第一の抵抗値Ｒ１が抵抗値Ｒａ３であった場合には、アクセサリ３０を第二ＦＬＡＳＨとして識別する（ステップＳ２０）。
【００６６】
ステップＳ４においてアクセサリ３０がＥＶＦとして識別されると、制御回路１３Ａは、スイッチ１２をオンして、アクセサリ３０（ここではＥＶＦ）に電圧の供給を開始する（ステップＳ５）。
【００６７】
なお、ステップＳ５の処理により、デジタルカメラ１０に連結装置２０が装着されていた場合には、連結装置２０の配線２３には電圧が供給されるため、連結装置２０の単極単投型スイッチ２１はオンとなる。
【００６８】
ステップＳ５の後、制御回路１３Ａは、アナログデジタル変換器１３Ｂにより検出された電圧と識別用抵抗素子１３Ｃの抵抗値とに基づいて、抵抗検出用端子Ｄ２に接続されている抵抗素子の第二の抵抗値Ｒ２を測定する（ステップＳ６）。ステップＳ５とステップＳ６は抵抗測定ステップを構成する。
【００６９】
デジタルカメラ１０に連結装置２０が装着され、この連結装置２０にアクセサリ３０が装着されている場合には、ステップＳ６の処理により、第二の抵抗値Ｒ２として、第一の抵抗素子２２と第二の抵抗素子３１の合成抵抗値が測定される。
【００７０】
一方、デジタルカメラ１０に連結装置２０を介さずにアクセサリ３０が装着されていた場合には、ステップＳ６の処理により、第二の抵抗値Ｒ２として、第二の抵抗素子３１の抵抗値（ステップＳ１で測定された第一の抵抗値Ｒ１と同じ値）が測定される。
【００７１】
次に、制御回路１３Ａは、第二の抵抗値Ｒ２とステップＳ２で測定した第一の抵抗値Ｒ１とが一致するか否かを判定する（ステップＳ７）。
【００７２】
デジタルカメラ１０に連結装置２０が装着され、この連結装置２０にアクセサリ３０が装着されている場合には、第一の抵抗値Ｒ１と第二の抵抗値Ｒ２は一致することはない。一方、デジタルカメラ１０に連結装置２０を介さずにアクセサリ３０が装着されている場合には、上述したように、第一の抵抗値Ｒ１と第二の抵抗値Ｒ２は一致する。
【００７３】
したがって、制御回路１３Ａは、第二の抵抗値Ｒ２と第一の抵抗値Ｒ１とが一致する場合（ステップＳ７：ＹＥＳ）には、連結装置２０が装着されていない状態と判定する（ステップＳ１１）。
【００７４】
一方、制御回路１３Ａは、第二の抵抗値Ｒ２と第一の抵抗値Ｒ１とが一致しない場合（ステップＳ７：ＮＯ）には、連結装置２０が装着されている状態と判定し、第二の抵抗値Ｒ２と第一の抵抗値Ｒ１とに基づいて、装着中の連結装置２０の第一の抵抗素子２２の抵抗値を測定する（ステップＳ８）。ステップＳ８は抵抗測定ステップを構成する。
【００７５】
制御回路１３Ａは、ステップＳ８で測定した抵抗値が抵抗値Ｒｂ１であった場合には、装着されている連結装置２０を第一アダプタとして識別する（ステップＳ９）。
【００７６】
制御回路１３Ａは、ステップＳ８で測定した抵抗値が抵抗値Ｒｂ２であった場合には、装着されている連結装置２０を第二アダプタとして識別する（ステップＳ１０）。
【００７７】
ステップＳ１２においてアクセサリ３０が第一ＦＬＡＳＨとして識別されると、制御回路１３Ａは、スイッチ１２をオンして、アクセサリ３０（ここでは第一ＦＬＡＳＨ）に電圧の供給を開始する（ステップＳ１３）。
【００７８】
ステップＳ１３の後、制御回路１３Ａは、アナログデジタル変換器１３Ｂにより検出された電圧と識別用抵抗素子１３Ｃの抵抗値とに基づいて、抵抗検出用端子Ｄ２に接続されている抵抗素子の第二の抵抗値Ｒ２を測定する（ステップＳ１４）。ステップＳ１３とステップＳ１４は抵抗測定ステップを構成する。
【００７９】
次に、制御回路１３Ａは、第二の抵抗値Ｒ２とステップＳ２で測定した第一の抵抗値Ｒ１とが一致するか否かを判定する（ステップＳ１５）。
【００８０】
制御回路１３Ａは、第二の抵抗値Ｒ２と第一の抵抗値Ｒ１とが一致する場合（ステップＳ１５：ＹＥＳ）には、連結装置２０が装着されていない状態と判定する（ステップＳ１９）。
【００８１】
一方、制御回路１３Ａは、第二の抵抗値Ｒ２と第一の抵抗値Ｒ１とが一致しない場合（ステップＳ１５：ＮＯ）には、連結装置２０が装着されている状態と判定し、第二の抵抗値Ｒ２と第一の抵抗値Ｒ１とに基づいて、装着中の連結装置２０の第一の抵抗素子２２の抵抗値を測定する（ステップＳ１６）。ステップＳ１６は抵抗測定ステップを構成する。
【００８２】
制御回路１３Ａは、ステップＳ１６で測定した抵抗値が抵抗値Ｒｂ１であった場合には、装着されている連結装置２０を第一アダプタとして識別する（ステップＳ１７）。
【００８３】
制御回路１３Ａは、ステップＳ１６で測定した抵抗値が抵抗値Ｒｂ２であった場合には、装着されている連結装置２０を第二アダプタとして識別する（ステップＳ１８）。
【００８４】
ステップＳ２０においてアクセサリ３０が第二ＦＬＡＳＨとして識別されると、制御回路１３Ａは、スイッチ１２をオンにせずアクセサリ３０（ここでは第二ＦＬＡＳＨ）への電圧の供給を禁止する（ステップＳ２１）。
【００８５】
ステップＳ９、ステップＳ１０、及び、ステップＳ１１の処理の後は、制御回路１３Ａが、スイッチ１２をオンの状態に維持したまま、抵抗検出用端子Ｄ２に接続されている抵抗素子の抵抗値の測定を定期的に行い、測定された抵抗値がステップＳ６で測定された第二の抵抗値Ｒ２と一致しなくなった場合（ステップＳ２２：ＹＥＳ）には、アクセサリ３０がデジタルカメラ１０又は連結装置２０から脱着されたと判定し、ステップＳ１に処理を戻す。
【００８６】
また、ステップＳ１７、ステップＳ１８、及び、ステップＳ１９の処理の後は、制御回路１３Ａが、スイッチ１２をオンの状態に維持したまま、抵抗検出用端子Ｄ２に接続されている抵抗素子の抵抗値の測定を定期的に行い、測定された抵抗値がステップＳ１４で測定された第二の抵抗値Ｒ２と一致しなくなった場合（ステップＳ２３：ＹＥＳ）には、アクセサリ３０がデジタルカメラ１０又は連結装置２０から脱着されたと判定し、ステップＳ１に処理を戻す。
【００８７】
また、ステップＳ２１の処理の後は、制御回路１３Ａが、スイッチ１２をオフの状態に維持したまま、抵抗検出用端子Ｄ２に接続されている抵抗素子の抵抗値の測定を定期的に行い、測定された抵抗値が最大値ＴＨとなった場合には、アクセサリ３０がデジタルカメラ１０又は連結装置２０から脱着されたと判定し、ステップＳ１に処理を戻す。
【００８８】
ステップＳ９、ステップＳ１０、ステップＳ１１、ステップＳ１７、ステップＳ１８、又は、ステップＳ１９の処理により、制御回路１３Ａは、デジタルカメラ１０に連結装置２０を介してアクセサリ３０が装着されている場合には、この連結装置２０とアクセサリ３０の組み合わせに対応した制御を開始する。また、制御回路１３Ａは、デジタルカメラ１０に連結装置２０を介さずにアクセサリ３０が装着されている場合には、連結装置２０がない場合のアクセサリ３０の種別に対応した制御を開始する。また、制御回路１３Ａは、ステップＳ２０の処理により、アクセサリ３０の種別に対応した制御を開始する。
【００８９】
以上のように、カメラシステム１００によれば、デジタルカメラ１０のスイッチ１２がオフの状態で測定される第一の抵抗値Ｒ１に基づいてアクセサリ３０の識別が行われ、アクセサリ３０が識別された後の単極単投型スイッチ２１がオンの状態で測定される第二の抵抗値Ｒ２と第一の抵抗値Ｒ１に基づいて、連結装置２０の装着の有無の判別と、連結装置２０の識別が行われる。
【００９０】
このように、連結装置２０の抵抗値とアクセサリ３０の抵抗値を個別に測定することができるため、連結装置２０とアクセサリ３０の種別を増大させることが可能となり、デジタルカメラ１０の機能の拡張性を高めることができる。
【００９１】
また、カメラシステム１００によれば、連結装置２０とアクセサリ３０がマイコン等の高価かつ大きな回路を内蔵していなくてもよいため、連結装置２０とアクセサリ３０のコスト低減及び小型化が可能となる。
【００９２】
また、カメラシステム１００によれば、アクセサリ３０に電圧を供給するための電圧供給端子Ｄ１に供給される電圧によって連結装置２０の単極単投型スイッチ２１が制御される。このため、連結装置２０の単極単投型スイッチ２１を制御するための制御信号を出力する専用端子をデジタルカメラ１０に追加する必要がなく、デジタルカメラ１０の製造コストを低減することができる。また、アクセサリ３０への電圧供給処理と、単極単投型スイッチ２１の切替処理とを同時に行うことができ、システムの処理効率を上げることができる。
【００９３】
なお、デジタルカメラ１０において連結装置２０の端子Ｊ１と接続されるデジタルカメラ１０側の端子は、電圧供給端子Ｄ１以外であってもよい。
【００９４】
図３は、図１に示すカメラシステム１００の変形例であるカメラシステム２００の概略構成を示す模式図である。図３において図１と同じ構成には同一符号が付されている。
【００９５】
カメラシステム２００は、カメラシステム１００に対し、アクセサリ３０との通信を行うための通信用端子Ｄ４がデジタルカメラ１０に追加され、端子Ｊ７と端子Ｊ８と端子Ｊ７及び端子Ｊ８を接続する配線２６が連結装置２０に追加され、デジタルカメラ１０と通信を行うための通信用端子Ａ４がアクセサリ３０に追加された構成である。
【００９６】
カメラシステム２００では、デジタルカメラ１０に連結装置２０が装着された状態では、デジタルカメラ１０の電圧供給端子Ｄ１に連結装置２０の端子Ｊ７が接続され、デジタルカメラ１０の通信用端子Ｄ４に連結装置２０の端子Ｊ１が接続される。
【００９７】
また、カメラシステム２００では、連結装置２０にアクセサリ３０が装着された状態では、連結装置２０の端子Ｊ８にアクセサリ３０の端子Ａ１が接続され、連結装置２０の端子Ｊ４にアクセサリ３０の通信用端子Ａ４が接続される。
【００９８】
カメラシステム２００のデジタルカメラ１０における制御回路１３Ａは、スイッチ１２についてはカメラシステム１００と同じように制御し、このスイッチ１２をオフに制御している状態では、単極単投型スイッチ２１をオフするための制御信号を通信用端子Ｄ４から出力し、スイッチ１２をオンに制御している状態では、単極単投型スイッチ２１をオンするための制御信号を通信用端子Ｄ４から出力する。通信用端子Ｄ４は、制御信号を出力するための端子を構成する。
【００９９】
以上のようなカメラシステム２００であっても、カメラシステム１００と同様に、デジタルカメラ１０によって連結装置２０とアクセサリ３０の識別を行うことができる。また、デジタルカメラ１０は、アクセサリ３０との通信を行うための通信用端子Ｄ４を利用して単極単投型スイッチ２１の制御を行うため、端子数の増加を防いで製造コストを低減することができる。
【０１００】
図４は、図１に示すカメラシステム１００の別の変形例であるカメラシステム３００の概略構成を示す模式図である。図４において図１と同じ構成には同一符号が付されている。
【０１０１】
カメラシステム３００は、連結装置２０の単極単投型スイッチ２１が単極双投型スイッチ２７に変更され、単極双投型スイッチ２７の一方の接点と端子Ｊ５の間に第一の抵抗素子２２が接続され、単極双投型スイッチ２７の他方の接点が端子Ｊ５に接続された点を除いてはカメラシステム１００と同じ構成である。
【０１０２】
単極双投型スイッチ２７は、上記の連結状態において、配線２３に電圧が非供給の状態では、端子Ｊ２と端子Ｊ５を第一の抵抗素子２２を介さずに接続して、抵抗検出用端子Ｄ２と第一の抵抗素子２２を非接続とし抵抗検出用端子Ｄ２と第二の抵抗素子３１を接続する第一の接続状態を形成する。
【０１０３】
また、単極双投型スイッチ２７は、上記の連結状態において、配線２３に電圧が供給されている状態では、端子Ｊ２と端子Ｊ５を第一の抵抗素子２２を介して接続して、抵抗検出用端子Ｄ２と第一の抵抗素子２２及び第二の抵抗素子３１を接続する第二の接続状態を形成する。
【０１０４】
カメラシステム３００によれば、抵抗測定部１３が、第一の接続状態で第二の抵抗素子３１の抵抗値を測定し、その後、第二の接続状態で第一の抵抗素子２２の抵抗値を測定することにより、連結装置２０の識別とアクセサリ３０の識別を正確に行うことができる。なお、図１に示したカメラシステム１００の連結装置２０が有する単極単投型スイッチ２１は、単極双投型スイッチ２７よりも構造がシンプルである。このため、図１のカメラシステム１００は、カメラシステム３００と比較して連結装置２０の製造コストの低減と小型化が可能となる。
【０１０５】
以上の実施形態では、連結装置２０を着脱可能なデジタルカメラ１０を例にしたが、デジタルカメラ以外の例えばスマートフォン等の情報装置においても、連結装置２０と同様の連結装置を着脱可能なものであれば、本発明を同様に適用可能である。
【０１０６】
以上説明してきたように、本明細書には以下の事項が開示されている。
【０１０７】
（１）  情報装置と上記情報装置のアクセサリとを連結して上記情報装置と上記アクセサリを電気的に接続する連結装置であって、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための上記情報装置によって制御される切替素子と、を備える連結装置。
【０１０８】
（２）  （１）記載の連結装置であって、上記連結状態において、上記アクセサリの動作に必要な電圧を供給するための上記情報装置に設けられた電圧供給端子と上記アクセサリの端子とを導通する配線を更に有し、上記切替素子は、上記配線に供給される電圧に基づいて上記接続状態を切り替える連結装置。
【０１０９】
（３）  （２）記載の連結装置であって、上記切替素子は、上記配線に上記電圧が非供給の状態では上記接続状態を上記第一の接続状態とし、上記配線に上記電圧が供給された状態では上記接続状態を上記第二の接続状態とする連結装置。
【０１１０】
（４）  （１）〜（３）のいずれか１つに記載の連結装置であって、上記第一の接続状態において上記第二の抵抗素子の抵抗値が上記情報装置により測定された後に、上記第二の接続状態において上記第一の抵抗素子と上記第二の抵抗素子の合成抵抗値が上記情報装置により測定され、上記合成抵抗値と上記抵抗値に基づいて上記第一の抵抗素子の抵抗値が測定される連結装置。
【０１１１】
（５）  （１）〜（４）のいずれか１つに記載の連結装置であって、上記切替素子は単極単投型のスイッチであり、上記第二の接続状態では、上記第一の抵抗素子と、上記第二の抵抗素子とが、上記抵抗検出用端子に対し並列に接続され、上記第一の接続状態では、上記抵抗検出用端子に対し上記第二の抵抗素子が直列に接続される連結装置。
【０１１２】
（６）  アクセサリを着脱可能な連結装置が装着可能であり、上記連結装置に装着された上記アクセサリと上記連結装置を介して電気的に接続される情報装置であって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記抵抗検出用端子と、上記連結装置の上記切替素子を制御する制御信号を出力するための端子と、上記抵抗検出用端子と電気的に接続される抵抗素子の抵抗値を測定する抵抗測定部と、を備え、上記抵抗測定部は、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する情報装置。
【０１１３】
（７）  （６）記載の情報装置であって、上記端子は、上記アクセサリの動作に必要な電圧を供給するための電圧供給端子であり、上記連結装置は、上記電圧供給端子と上記アクセサリの端子とを導通する配線を含み、上記切替素子は、上記配線に上記電圧が非供給の状態では上記接続状態を上記第一の接続状態とし、上記配線に上記電圧が供給された状態では上記接続状態を上記第二の接続状態とし、上記抵抗測定部は、上記電圧供給端子に上記電圧を非供給とした状態で上記第一の抵抗値を測定し、その第一の抵抗値を測定した後に上記電圧供給端子に上記電圧を供給する情報装置。
【０１１４】
（８）  アクセサリを着脱可能な連結装置と、上記連結装置が装着可能であり、上記連結装置に装着された上記アクセサリと上記連結装置を介して電気的に接続される情報装置と、を備える情報システムであって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記切替素子を制御する制御信号を出力するための端子と、上記抵抗検出用端子と電気的に接続される抵抗素子の抵抗値を測定する抵抗測定部と、を備え、上記抵抗測定部は、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する情報システム。
【０１１５】
（９）  （８）記載の情報システムであって、上記連結装置は、上記連結状態において、上記アクセサリの動作に必要な電圧を供給するための上記情報装置に設けられた上記端子と上記アクセサリの端子とを導通する配線を更に有し、上記切替素子は、上記配線に供給される電圧に基づいて上記接続状態を切り替える情報システム。
【０１１６】
（１０）  （９）記載の情報システムであって、上記切替素子は、上記配線に上記電圧が非供給の状態では上記接続状態を上記第一の接続状態とし、上記配線に上記電圧が供給された状態では上記接続状態を上記第二の接続状態とする情報システム。
【０１１７】
（１１）  （１０）記載の情報システムであって、上記抵抗測定部は、上記情報装置の上記端子に上記電圧を非供給とした状態で上記第一の抵抗値を測定し、その第一の抵抗値を測定した後にその端子に上記電圧を供給する情報システム。
【０１１８】
（１２）  アクセサリを着脱可能な連結装置が装着可能であり、上記連結装置に装着された上記アクセサリと上記連結装置を介して電気的に接続される情報装置の作動方法であって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記連結装置の上記切替素子を制御する制御信号を出力するための端子と、を備え、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する抵抗測定ステップを備える情報装置の作動方法。
【０１１９】
（１３）  （１２）記載の情報装置の作動方法であって、上記端子は、上記アクセサリの動作に必要な電圧を供給するための電圧供給端子であり、上記連結装置は、上記電圧供給端子と上記アクセサリの端子とを導通する配線を含み、上記切替素子は、上記配線に上記電圧が非供給の状態では上記接続状態を上記第一の接続状態とし、上記配線に上記電圧が供給された状態では上記接続状態を上記第二の接続状態とし、上記抵抗測定ステップでは、上記電圧供給端子に上記電圧を非供給とした状態で上記第一の抵抗値を測定し、その第一の抵抗値を測定した後に上記電圧供給端子に上記電圧を供給する情報装置の作動方法。
【０１２０】
（１４）  アクセサリを着脱可能な連結装置が装着可能であり、上記連結装置に装着された上記アクセサリと上記連結装置を介して電気的に接続される情報装置の作動プログラムであって、上記連結装置は、第一の抵抗素子と、上記情報装置と上記アクセサリを連結している連結状態において、上記情報装置の抵抗検出用端子に対する上記第一の抵抗素子及び上記アクセサリに含まれる第二の抵抗素子の電気的な接続状態を、上記抵抗検出用端子と上記第一の抵抗素子を非接続とし上記抵抗検出用端子と上記第二の抵抗素子を接続する第一の接続状態と、上記抵抗検出用端子と上記第一の抵抗素子及び上記第二の抵抗素子を接続する第二の接続状態とで切り替えるための切替素子と、を含み、上記情報装置は、上記抵抗検出用端子と、上記連結装置の上記切替素子を制御する制御信号を出力するための端子と、を備え、上記接続状態を上記第一の接続状態に制御するための上記制御信号を上記端子に供給している状態で上記抵抗検出用端子と電気的に接続されている抵抗素子の第一の抵抗値を測定した後に、上記接続状態を上記第二の接続状態に制御するための上記制御信号を上記端子に供給して上記抵抗検出用端子と電気的に接続されている抵抗素子の第二の抵抗値を測定し、上記第一の抵抗値と上記第二の抵抗値に基づいて上記第一の抵抗素子の抵抗値を測定する抵抗測定ステップをコンピュータに実行させるための情報装置の作動プログラム。
【産業上の利用可能性】
【０１２１】
本発明によれば、情報装置の拡張性を低下させることなく、情報装置に装着されたアクセサリの種別とこのアクセサリと情報装置とを連結する連結装置の種別を正確に判定することが可能な情報装置、この情報装置に装着可能な連結装置、この情報装置とこの連結装置を含む情報システム、情報装置の作動方法、及び、情報装置の作動プログラムを提供することができる。
【符号の説明】
【０１２２】
１００，２００，３００  カメラシステム
１０  デジタルカメラ
１１  電源回路
１２  スイッチ
１３  抵抗測定部
１３Ａ  制御回路
１３Ｂ  アナログデジタル変換器
１３Ｃ  識別用抵抗素子
Ｄ１  電圧供給端子
Ｄ２  抵抗検出用端子
Ｄ３  アース端子
Ｄ４  通信用端子
２０  連結装置
２１  単極単投型スイッチ
２２  第一の抵抗素子
２３，２４，２５，２６  配線
２７  単極双投型スイッチ
Ｊ１−Ｊ８  端子
３０  アクセサリ
３１  第二の抵抗素子
Ａ１−Ａ３  端子
Ａ４  通信用端子
【図１】
0006564958.tif 000002
【図２】
0006564958.tif 000003
【図３】
0006564958.tif 000004
【図４】
0006564958.tif 000005